(57)【要約】【課題】テレビ電波の微弱な郊外において、テレビの受信感度が悪いという問題があった。【解決手段】そしてこの目的を達成するために本発明は、可動により重合状態と非重合状態を形成できる第１、第２のケースと、前記第１のケース内に設けられた携帯電話用送受信部と、前記第２のケースに設けられたテレビ選局部及びこのテレビ選局部からの信号を受けて映像表示をする映像表示部とを備え、前記第１、第２のケースにはそれぞれ第１、第２のテレビ用アンテナを設け、これら第１、第２のテレビ用アンテナの出力を前記テレビ選局部の入力に設けられた差動増幅器にバランス入力として接続したものである。【選択図】図２
2005328445.tif 000002
【特許請求の範囲】
【請求項１】
可動により重合状態と非重合状態を形成できる第１、第２のケースと、前記第１のケース内に設けられた携帯電話送受信部と、前記第２のケースに設けられたテレビ選局部及びこのテレビ選局部からの信号を受けて映像表示をする映像表示部とを備え、前記第１、第２のケースにはそれぞれ第１、第２のテレビ用アンテナを設け、これら第１、第２のテレビ用アンテナの出力が前記テレビ選局部の入力に設けられた差動増幅器にバランス入力として接続された携帯機器。
【請求項２】
第１、第２のテレビ用アンテナそれぞれは、第１、第２のケースの長手方向に配置された請求項１に記載の携帯機器。
【請求項３】
第１のケースには、第１のテレビ用アンテナと携帯電話用アンテナが、互いに離れて配置された請求項２に記載の携帯機器。
【請求項４】
第１のテレビ用アンテナと携帯電話用送受信部の間にはシールド面を設けた請求項１に記載の携帯機器。
【請求項５】
第１、第２のテレビ用アンテナは、第１、第２のケースが重合状態時に、互いに略対向するように配置された請求項１に記載の携帯機器。
【請求項６】
第１、第２のテレビ用アンテナのそれぞれは、伸縮自在な構造とした請求項１に記載の携帯機器。
【請求項７】
テレビ選局部内に、差動増幅器のバランス出力が供給されるバランスミキサを有した請求項１に記載の携帯機器。
【請求項８】
第１、第２のケースは、一端側のヒンジ部を介して開閉自在とし、前記第１のケースの前記第２のケース対向面には操作部を設け、前記第２のケースの前記第１のケースの対向面には映像表示部を設けた請求項１に記載の携帯機器。
【請求項９】
第１、第２のケースは、この第１、第２のケースの側面部を介してスライド自在とし、前記第１のケースの前記第２のケース対向面には操作部を設け、前記第２のケースの前記第１のケースの対向面には映像表示部を設けた請求項１に記載の携帯機器。
【請求項１０】
第１、第２のケースは、一端側のヒンジ部を介して平面方向に展開自在とし、前記第１のケースの前記第２のケース対向面には操作部を設け、前記第２のケースの前記第１のケースの対向面には映像表示部を設けた請求項１に記載の携帯機器。
【発明の詳細な説明】
【技術分野】
【０００１】
本発明は、例えば携帯電話等の携帯機器に関するものである。
【背景技術】
【０００２】
近年の携帯電話は、電話機能だけでなくテレビも見ることができるようになってきた。図４、図５はその一例を示しており、ヒンジ部１を介して、第１のケース２と、第２のケース３を開閉自在としている。第１のケース２内には、携帯電話用送受信部４が設けられ、また、第２のケース３には、映像表示部６とテレビ選局部５が設けられている。
【０００３】
即ち、電話をする際には、電波は携帯電話用アンテナ７で受信し、携帯電話用送受信部４を介して、スピーカ８から相手方音声を聞き取り、また、自分の声はマイクロフォン９、携帯電話用送受信部４を介して携帯電話用アンテナ７から電波として相手方に送信するようになっている。
【０００４】
一方、テレビ信号は、テレビ用アンテナ１０、テレビ選局部５を介し、映像は映像表示部６、音声はスピーカ８からそれぞれ視聴するようになっている。
【０００５】
なお、この出願の発明に関連する先行技術文献情報としては、例えば、特許文献１が知られている。
【特許文献１】特開２００４−４８４４７号公報
【発明の開示】
【発明が解決しようとする課題】
【０００６】
しかしながらこのような従来の携帯機器は、テレビ電波の微弱な郊外においてアンテナの感度が低いため、テレビの受信感度が悪くなるという問題があった。
【０００７】
即ち、従来の携帯機器は、図４、図５に示すように、第２のケース３内にロッドアンテナで形成されたテレビ用アンテナ１０を内蔵し、このテレビ用アンテナ１０をテレビ選局部５の入力に接続していた。このテレビ用アンテナ１０の長さは、所要長さに対して十分な長さではない。従って、特にテレビ電波の微弱な郊外においては、テレビの受信感度の改善が求められた。
【０００８】
そこで本発明は、テレビの受信感度の向上を目的としたものである。
【課題を解決するための手段】
【０００９】
そしてこの目的を達成するために本発明の携帯機器は、可動により重合状態と非重合状態を形成できる第１、第２のケースと、前記第１のケース内に設けられた携帯電話送受信部と、前記第２のケースに設けられたテレビ選局部及びこのテレビ選局部からの信号を受けて映像表示をする映像表示部とを備え、前記第１、第２のケースにはそれぞれ第１、第２のテレビ用アンテナを設け、これら第１、第２のテレビ用アンテナの出力を前記テレビ選局部の入力に設けられた差動増幅器にバランス入力として接続したものであり、これにより、テレビ信号の受信感度を向上することができる。
【発明の効果】
【００１０】
以上のように本発明の携帯機器は、第１、第２のケースにそれぞれ第１、第２のテレビ用アンテナを設け、これら第１、第２のテレビ用アンテナの出力を前記テレビ選局部の入力に設けられた差動増幅器にバランス入力として接続したものである。
【００１１】
以上の構成により、テレビ受信時では第１、第２のケースを非重合状態とすることにより、前記第１、第２のケース内に設けられた第１、第２のテレビ用アンテナが開かれてダイポールアンテナとできるので、受信レベルが大きくなる。
【００１２】
さらに、このテレビ用ダイポールアンテナで受信されたテレビ信号は、バランス型入力としたテレビ選局部の入力にそのまま供給されることになるので、テレビ信号の損失を小さくできる。従って、テレビ電波の微弱な郊外において、適切なテレビ視聴が行えるようになる。
【発明を実施するための最良の形態】
【００１３】
（実施の形態１）
以下、本発明の実施の形態を図１から図３を用いて説明する。図１、図２において、２１は第１のケースで、その上端側にはヒンジ部２２を介して第２のケース２３が開閉自在に設けられている。図１は、第１、第２のケース２１，２３を開放した状態を示しており、図示していないが、第２のケース２３はその下端側のヒンジ部２２を介して第１のケース２１上へ閉成され、この状態においては、第１、第２のケース２１，２３が重合状態となり、コンパクトで携帯性に優れたものとなる。
【００１４】
第１のケース２１内には、図２、図３で示す携帯電話用アンテナ２４、第１のテレビ用アンテナ２５ａ、携帯電話用送受信部２６、ベースバンド信号処理部２７及びマイクロフォン２８が設けられている。ここで、携帯電話用アンテナ２４と第１のテレビ用アンテナ２５ａとは、第１のケース２１の長手方向に配置されるとともに、高周波的に影響しないように携帯電話用送受信部２６およびベースバンド信号処理部２７を挟んで互いに離して配置している。
【００１５】
一方、第２のケース２３の第１のケース２１への重合面には、映像表示部２９が表出して設けられている。また、この映像表示部２９の背面側となる第２のケース２３内には、入力部３０ｄ，３０ｅに接続されたバランス入力の可能な差動増幅器３０ａを内蔵したテレビ選局部３０、スピーカ３１、第２のテレビ用アンテナ２５ｂが設けられている。
【００１６】
また、第１のケース２１の第２のケース２３側には、図１に示すごとく各種キーボード３２が設けられ、このキーボード３２の背面側に上記携帯電話用送受信部２６およびベースバンド信号処理部２７が設けられている。
【００１７】
さらに、入力部３０ｄ，３０ｅには、それぞれ第１、第２のテレビ用アンテナ２５ａ，２５ｂが接続されており、これら第１、第２のテレビ用アンテナ２５ａ，２５ｂによりダイポールアンテナを構成することにより、テレビ用ダイポールアンテナ２５としている。
【００１８】
なお、携帯電話用送受信部２６内には、従来から良く知られているように、携帯電話用復調回路３３や変調回路３４が設けられている。また、ベースバンド信号処理部２７には、復号回路３５、符号回路３６が設けられている。更に、テレビ選局部３０には、第２のケース２３内において、テレビ用復調器３７が接続されている。
【００１９】
図１は、携帯電話をするため、或いはテレビを見るために第２のケース２３を第１のケース２１上に開放した状態を示している。
【００２０】
次に、テレビを見るときを例にして、動作説明する。キーボード３２を操作して、テレビ選局部３０、ベースバンド信号処理部２７、映像表示部２９等のテレビ関係部分を駆動させる。そして、テレビ選局部３０においては、第１、第２のテレビ用アンテナ２５ａ，２５ｂで受信したテレビ信号から希望チャンネルの信号を選択し増幅したあと、テレビ用復調器３７、ベースバンド信号処理部２７を介し、映像は、映像表示部２９で表示され、音声は、スピーカ３１から放出されることになる。以上のようにして、使用者はテレビ番組を楽しむことができる。
【００２１】
さらに、携帯電話を利用するときには、キーボード３２を操作して、携帯電話用送受信部２６、ベースバンド信号処理部２７、スピーカ３１等の携帯電話関係部分を駆動させる。そして、携帯電話用アンテナ２４で受信した受信信号から携帯電話用送受信部２６により希望信号を選択し復調したあと、ベースバンド信号処理部２７の復号回路３５を介し、音声は、スピーカ３１から放出される。
【００２２】
一方、マイクロフォン２８からの音声信号は、ベースバンド信号処理部２７の符号回路３６を介し、変調回路３４により変調信号とされたのち、携帯電話用アンテナ２４から送信されることになる。以上のようにして、使用者は携帯電話を利用することができる。
【００２３】
次に、第１、第２のテレビ用アンテナ２５ａ，２５ｂと携帯電話用アンテナ２４について、図１、図２を用いて説明する。このとき、これら第１、第２のテレビ用アンテナ２５ａ，２５ｂは、それぞれ第１、第２のケース２１，２３に内蔵されている。
【００２４】
携帯電話を使用するときには、携帯電話用アンテナ２４を用いることになる。携帯電話に用いられる送受信の周波数は、日本国内では主に８００ＭＨｚ、１５００ＭＨｚ、２０００ＭＨｚが代表的に用いられ、従来のようにモノポールアンテナであるテレビ用アンテナ１０のみで受信するには、テレビ用アンテナの所要長さが１／４波長となり、テレビ用アンテナ１０を構成する誘電体の波長短縮率がない場合には、８００ＭＨｚ、１５００ＭＨｚ、２０００ＭＨｚに対してそれぞれ９．４ｃｍ、５ｃｍ、３．８ｃｍが必要となる。
【００２５】
これに対して、携帯電話用アンテナ２４の内蔵されている第１のケース２１の長手方向の長さ２１ａは、およそ７〜８ｃｍとしているので、携帯電話用アンテナは、第１のケース２１内の長手方向にほぼ収納できる。つまり、第１のテレビ用アンテナ２５ａと携帯電話用アンテナ２４は、所要長さの関係から第１のケース２１の長手方向に配置されることが良い。
【００２６】
テレビ信号を受信する場合には、およそ１００ＭＨｚ、２００ＭＨｚ、４７０〜７７０ＭＨｚの周波数が用いられており、例えば従来例のようにテレビ用アンテナ１０であるモノポールアンテナで受信するには、テレビ用アンテナ１０の所要長さは、１／４波長として、それぞれ７５ｃｍ、３７．５ｃｍ、１０〜１６ｃｍが必要である。
【００２７】
ところが、第２のテレビ用アンテナ２５ｂの内蔵されている第２のケース２３の長手方向の長さ２３ａは、およそ７〜８ｃｍとしているので、第２のテレビ用アンテナ２５ｂは、第２のケース２３に収納できないことになる。すなわち、携帯電話によるテレビ信号の受信は、第２のテレビ用アンテナ２５ｂの長さが短いため、特に郊外での受信状態が課題となりやすい。
【００２８】
また、このモノポールアンテナは、長さを１／４波長として用いるものであり、この１／４波長の長さを持つアンテナ部と、大地そのもの、あるいは携帯機器の筐体部を利用したイメージアンテナとによって、等価的にダイポールアンテナとして利用するものである。
【００２９】
従って、モノポールアンテナでは、使用する場所や使用条件によって左右されることになり、十分なイメージアンテナを確保できない。そのため、アンテナの受信レベルが低下することになる。
【００３０】
これに対して、本実施の形態では、第１、第２のテレビ用アンテナ２５ａ，２５ｂのそれぞれの先端部２５ｃ，２５ｄを、共にヒンジ部２２から離して配置して、第１、第２のテレビ用アンテナ２５ａ，２５ｂによりダイポールアンテナ２５を構成させている。この第１、第２のテレビ用アンテナ２５ａ，２５ｂで受信されたテレビ信号は、バランス信号となる。このバランス信号が、テレビ選局部３０に設けられた差動増幅器３０ａの入力部３０ｄ，３０ｅにバランス信号として入力されることになる。
【００３１】
さらに、第１、第２のテレビ用アンテナ２５ａ，２５ｂは、第１、第２のケース２１，２３が重合状態時に互いに対向するように配置する。これにより、第１、第２のケース２１，２３が非重合状態時においては、第１、第２のテレビ用アンテナ２５ａ，２５ｂはヒンジ部２２に対して対称となって、ダイポールアンテナを構成できる。従って、第１、第２のテレビ用アンテナ２５ａ，２５ｂで受信されたテレビ信号は、よりバランスのとれたバランス信号とできるのである。
【００３２】
以上のように、従来例のモノポールアンテナに対してテレビ用ダイポールアンテナ２５では、受信レベルを大きくできる。さらにこのテレビ用ダイポールアンテナ２５で受信したバランス信号が、テレビ選局部３０内に設けられたバランス入力とした差動増幅器３０ａに直接入力できる。そのため、ダイポールアンテナ２５とテレビ選局部３０間には、例えばバランス−アンバランス変換回路が不要となり、これによる変換損失を生じることがない。
【００３３】
また、差動増幅器３０ａを用いているので、大きな信号に対する歪みあるいは３次歪みを少なくできる。従って、市街地のような強い受信信号であっても、また、強い妨害信号が存在しても、妨害を受けることが少ない。
【００３４】
さらに、テレビ用ダイポールアンテナ２５によって、バランスのとれたバランス信号は、差動増幅器３０ａにバランス入力され、さらにこの差動増幅器３０ａのバランス出力はバランスミキサ３０ｂにバランス入力される。このように、テレビ用ダイポールアンテナ２５からテレビ選局部３０内の差動増幅器３０ａ、バランスミキサ３０ｂ，３０ｃ等で構成された高周波回路３０ｆ（図示せず）内の信号を、バランス入力、バランス出力とすることにより、高周波回路３０ｆへの飛び込みによる妨害排除性能が向上する。
【００３５】
すなわち、テレビ選局部３０内あるいは携帯電話用送受信部２６内のＸｔａｌ、ＰＬＬ制御用クロック信号、発振器の発振成分による妨害信号が、輻射されて前記高周波回路３０ｆに飛び込んだとしても、バランスタイプで構成された高周波回路３０ｆでは、バランス回路により位相キャンセルされるので、妨害信号となりにくい。
【００３６】
ここで、これら第１、第２のテレビ用アンテナ２５ａ，２５ｂは、図示していないが、それぞれ伸縮自在のタイプとすることができる。すなわち、第１、第２のテレビ用アンテナ２５ａ，２５ｂのそれぞれアンテナ先端部２５ｅ，２５ｆ（図示せず）は、それぞれ第１、第２のケース２１，２３外に引き伸ばすことができる。もちろん、使用後はこの第１、第２のテレビ用アンテナ２５ａ，２５ｂを縮めてその大部分を第１、第２のケース２１，２３に収めることができる。
【００３７】
これにより、第１、第２のテレビ用アンテナ２５ａ，２５ｂにより構成されたダイポールアンテナ２５の長さを最適に設定できるので、テレビ電波の微弱な郊外においても、より確実にテレビ受信を可能とする。
【００３８】
以上のようにして、使用者はテレビ番組を楽しむことができるが、このとき、携帯電話用送受信部２６は、上述したテレビを見る見ないに拘わらず動作状態にある。
【００３９】
即ち、携帯電話用送受信部２６からは、自位置を固定局に定期的に携帯電話用アンテナ２４から電波を発信している。もちろん、通話中には、適宜、送信・受信が携帯電話用アンテナ２４から行われている。
【００４０】
この場合においても、テレビ用ダイポールアンテナ２５からテレビ選局部３０内の差動増幅器３０ａ、バランスミキサ３０ｂ，３０ｃ等で構成された高周波回路３０ｆは、バランス入力、バランス出力としているので、携帯電話用アンテナ２４からの送信信号の高周波回路３０ｆへの飛び込みによる妨害があっても、高周波回路３０ｆのバランス回路により位相キャンセルされる。そのため、テレビ受信が損なわれることが少ない。
【００４１】
さらに、携帯電話用送受信部２６およびベースバンド信号処理部２７が、第１のケース２１の長手方向に沿って第１のケース２１内の略中央部に配置され、第１のテレビ用アンテナ２５ａと携帯電話用アンテナ２４を、これら携帯電話用送受信部２６およびベースバンド信号処理部２７を挟んで互いに離れて略同一平面上に配置させている。
【００４２】
これにより、携帯電話用アンテナ２４から発射された送信信号が、携帯電話用送受信部２６およびベースバンド信号処理部２７のシールドケース部によりシールドされるので、第１のテレビ用アンテナ２５ａに流入されることが少なくなる。
【００４３】
また、第１のテレビ用アンテナ２５ａと携帯電話用送受信部２６およびベースバンド信号処理部２７の間にはシールド面３８（図示せず）が設けられている。これにより、携帯電話用送受信部２６あるいはベースバンド信号処理部２７からの不要な信号が、シールド面３８により遮られることになり、第１のテレビ用アンテナ２５ａに流入されることはない。従って、テレビ受信時においてもさらに受信を乱されることがない。
【００４４】
なお、上記実施の形態においては、第１、第２のケース２１，２３をヒンジ部２２を介して開閉自在とすることによって、第１、第２のケース２１，２３の重合状態から非重合状態への形態変化をさせたが、第１、第２のケース２１，２３のいずれか一方を、第１、第２のケース２１，２３の側面部に設けられたレールを介してスライドさせることによって、重合状態、非重合状態を形成するようにしても良い。更に、第１、第２のケース２１，２３のいずれか一方を水平方向に開閉することによって、重合状態、非重合状態を形成しても良い。
【産業上の利用可能性】
【００４５】
本発明にかかる携帯機器は、受信信号の小さい郊外においても、テレビ受信を可能とできるので、テレビ視聴機能付き携帯機器として有用である。
【図面の簡単な説明】
【００４６】
【図１】本発明の一実施の形態における携帯機器の斜視図
【図２】同、透視斜視図
【図３】同、ブロック回路図
【図４】従来例の透視斜視図
【図５】同、ブロック回路図
【符号の説明】
【００４７】
２１  第１のケース
２３  第２のケース
２５  テレビ用ダイポールアンテナ
２５ａ  第１のテレビ用アンテナ
２５ｂ  第２のテレビ用アンテナ
２６  携帯電話用送受信部
２９  映像表示部
３０  テレビ選局部
【図１】
2005328445.tif 000003
【図２】
2005328445.tif 000004
【図３】
2005328445.tif 000005
【図４】
2005328445.tif 000006
【図５】
2005328445.tif 000007